(57)【要約】  有機エレクトロルミネッセンスディスプレイは、基板と、基板上に形成された第１の電極層と、第１の電極層上に形成され第１の波長で発光する第１の発光層と、第１の発光層に少なくとも一部が重なって形成され第１の波長よりも長い第２の波長で発光する第２の発光層と、第１又は第２の発光層上に形成された第２の電極層とを備える。
2009038171.tif 000002
【特許請求の範囲】
【請求項１】
基板と、
前記基板上に形成された第１の電極層と、
前記第１の電極層上に形成され第１の波長で発光する第１の発光層と、
前記第１の発光層に少なくとも一部が重なって形成され前記第１の波長よりも長い第２の波長で発光する第２の発光層と、
前記第１又は第２の発光層上に形成された第２の電極層と、
を備えることを特徴とする有機エレクトロルミネッセンスディスプレイ。
【請求項２】
隣接する有機エレクトロルミネッセンス素子との間の前記基板上に形成された隔壁を備え、
第２の発光層は、前記隔壁上で前記第１の発光層と重なることを特徴とする請求項１に記載の有機エレクトロルミネッセンスディスプレイ。
【請求項３】
前記第１の発光層は、前記第１の電極及び前記隔壁上の全面に形成されていることを特徴とする請求項２に記載の有機エレクトロルミネッセンスディスプレイ。
【請求項４】
前記第１の電極層と、前記第２の電極層との間に正孔輸送層を備え、
前記正孔輸送層は、前記第１の電極及び前記隔壁上の全面に形成されていることを特徴とする請求項２に記載の有機エレクトロルミネッセンスディスプレイ。
【請求項５】
基板上に第１の電極層を形成する第１の工程と、
前記第１の電極層上に第１の波長で発光する第１の発光層を形成する第２の工程と、
前記第１の波長よりも長い第２の波長で発光する第２の発光層を前記第１の発光層に少なくとも一部が重なるように形成する第３の工程と、
前記第１又は第２の発光層上に第２の電極層を形成する第４の工程と、
を有することを特徴とする有機エレクトロルミネッセンスディスプレイの製造方法。
【請求項６】
前記第２の工程では、前記第１の波長で発光する第１の色素を含むインキをパターニングすることにより前記第１の発光層を形成し、
前記第３の工程では、前記第２の波長で発光する第２の色素を含むインキを前記第１の発光層が固化した後にパターニングすることにより前記第２の発光層を形成することを特徴とする請求項５に記載の有機エレクトロルミネッセンスディスプレイの製造方法。
【請求項７】
凸版印刷法により前記第１又は第２の発光層を形成することを特徴とする請求項６に記載の有機エレクトロルミネッセンスディスプレイの製造方法。
【請求項８】
隣接する有機エレクトロルミネッセンス素子を互いに隔絶するための隔壁を前記基板上に形成する工程をさらに有し、
前記第２の工程では、前記第１の電極層及び前記隔壁上に前記第１の発光層を形成することを特徴とする請求項５に記載の有機エレクトロルミネッセンスディスプレイの製造方法。
【発明の詳細な説明】
【技術分野】
【０００１】
本発明は、有機エレクトロルミネッセンスディスプレイ及びその製造方法に関する。
本願は、２００７年９月２１日に、日本に出願された特願２００７−２４５８０４号に基づき優先権を主張し、その内容をここに援用する。
【背景技術】
【０００２】
一般的に、有機ＥＬ（Electro Luminescence：エレクトロルミネッセンス）素子は、二つの対向する電極基板の間に、有機発光材料からなる有機発光媒体層を形成し、有機発光媒体層に電流を流すことにより発光させるものであるが、効率良く発光させるには、有機発光媒体層の膜厚のコントロールが重要であり、例えば膜厚１００ｎｍ程度に極めて薄膜にする必要がある。さらに、これをディスプレイ化するには、高精細にパターニングする必要がある。【０００３】
基板等に形成する有機発光材料には、低分子材料と高分子材料があり、一般に低分子材料は、基板に抵抗加熱蒸着法（真空蒸着法）等により薄膜形成し、このときに微細パターンのマスクを用いてパターニングするが、この方法では基板が大型化すればするほど、パターニング精度が出難いという問題がある。【０００４】
そこで、最近では基板等に形成する有機発光材料に高分子材料を用い、この有機発光材料を溶剤に溶かしてインキ化して塗工インキ液にした後、これをウェットコーティング法で薄膜形成する方法が試みられるようになってきている。薄膜形成するためのウェットコーティング法としては、スピンコート法、バーコート法、突出コート法、ディップコート法等があるが、高精細にパターニングしたり、赤色（Ｒ）、緑色（Ｇ）、青色（Ｂ）の３色に塗り分けしたりするためには、これらのウェットコーティング法では難かしく、塗り分けパターニングを得意とする印刷法でのパターン印刷による薄膜形成が最も有効であると考えられる。【０００５】
さらに、各種印刷法の中でも、有機ＥＬ素子やディスプレイでは、基板としてガラス基板を用いることが多いため、グラビア印刷法等のように金属製の印刷版等の硬い版を用いる方法は不向きである。そのために、弾性を有するゴム製の印刷版を用いた印刷法や、ゴム製の印刷用ブランケットを用いたオフセット印刷法や、弾性を有するゴムやその他の樹脂を主成分とした感光性樹脂版を用いる凸版印刷法等が適性な印刷法として採用することができる。実際に、これらの印刷法の試みとして、オフセット印刷によるパターン印刷方法（特許文献１）、凸版印刷によるパターン印刷方法（特許文献２、３）などが提唱されている。【０００６】
また、円圧式の凸版オフセット印刷機としては図示しないが、シリンダー状の回転するブランケット胴と、定位置に固定配置された平坦な圧定盤とによる印刷機がある。これは平坦な印刷用凸版を水平に載置して位置決め固定する平坦な版固定定盤と、被印刷体（印刷基板）を水平に載置して位置決め固定する平坦な被印刷体固定定盤（圧定盤）と、前記版固定定盤上に載置固定した印刷用凸版の上面を周接移動（転動）して、頂部面にインキを付着させるインキ供給ローラーと、インキ供給ローラーが待機中に印刷用凸版の上面を周接移動（転動）して頂部面に付着しているインキを表面ゴム製のブランケット面に転移させ、さらに転動してブランケット面に転移した前記インキを被印刷体固定定盤上に載置固定した被印刷体（印刷基板）に転写して印刷するブランケット胴を備えている。【０００７】
一方、凸版印刷法において塗工用の粘稠状（又はチクソトロピー状）のインキ又は液状のインキ（インキ液）には、最適な粘度、表面張力があることが知られており、特に液状のインキには、増粘剤といった粘度調整剤や、表面張力を調整するための界面活性剤等を添加するのが一般的である。【０００８】
電子材料を印刷する場合、その溶解性に限りがあったり、不純物を嫌う場合があり、インキ物性としての制限が大きい場合がある。【０００９】
特に、有機発光材料を印刷法により印刷して成膜する場合、有機発光材料は、水やアルコール、有機溶剤といった溶媒（必要に応じてバインダー樹脂）中に、分散もしくは溶解させることにより、印刷、塗工用のインキ液としてインキ化するものである。【００１０】
有機発光材料をパターン成膜し、素子として駆動させる場合、その素子の耐久性は有機発光材料により成膜される膜の純度が高い方が良いとされているため、有機発光材料の膜中に残留する増粘剤などは純度を低下させる要因となるため添加することができず、この理由からも、印刷物のインキ転移性、パターン形状の安定性を得るための有機発光材料インキ液の調整可能な諸物性の範囲は限られてしまう。【００１１】
上記のような理由と、特に発光材料の場合、その溶解性の低さから、一部の芳香族溶剤しか用いることができず、インキの選択幅はさほど大きくない。
【特許文献１】特開２００１−９３６６８号公報
【特許文献２】特開２００１−１５５８５８号公報
【特許文献３】特開２００１−１５５８６１号公報
【発明の開示】
【発明が解決しようとする課題】
【００１２】
携帯電話、ＰＤＡ（Personal Digital Assistant：携帯情報端末）、デジタルカメラ等のモバイル用途の表示パネルは１００ｐｐｉ以上の高精細なディスプレイを必要とするが、こういった高精細なディスプレイは、画素間の距離も４０〜１０μｍ程度と狭くなる為、印刷の位置精度が悪い場合隣接画素近くまで印刷パターンがずれ込んで固化してしまう場合がある。また、位置精度が悪く無い場合であっても、液体である印刷インキが、隣接する画素の印刷パターン近傍まで接近してしまう場合、固化していた印刷パターンが、接近してきた印刷インキに再び溶解し、印刷インキに溶け込み、混色を起こしてしまうという問題がたびたび起こる。【００１３】
特に、発光波長の長い材料（大雑把には、長い（赤）＞（緑）＞（青）短い）が、波長の短い材料に混入した場合、有機ＥＬにおいては、エネルギー移動という現象により優先的に波長の長い材料が発光してしまう。すなわち、波長の短い青に、波長の長い赤が混入した場合、その発光色は青から大きくずれ、白色に近い発光になってしまう。【００１４】
本発明の課題は、インキの混色による色度のずれを最小限に止め、生産の収率を向上させることができる有機エレクトロルミネッセンスディスプレイ及びその製造方法を提供することである。
【課題を解決するための手段】
【００１５】
（１）  本発明は、上記課題を解決するためになされたもので、本発明の一態様による有機エレクトロルミネッセンスディスプレイは、基板と、前記基板上に形成された第１の電極層と、前記第１の電極層上に形成され第１の波長で発光する第１の発光層と、前記第１の発光層に少なくとも一部が重なって形成され前記第１の波長よりも長い第２の波長で発光する第２の発光層と、前記第１又は第２の発光層上に形成された第２の電極層とを備える。
本発明では、第１の波長で発光する第１の発光層の上に、第１の波長よりも長い第２の波長で発光する第２の発光層が重なるようにしたため、第１の発光層に含まれる色素が、第２の発光層に流入した場合であっても、第１の発光層の色素よりもエネルギーの低い第２の発光層の色素が優先的に発光させることができ、混色が起こることを防ぐことができる。【００１６】
（２）  本発明の有機エレクトロルミネッセンスディスプレイは、隣接する有機エレクトロルミネッセンス素子との間の前記基板上に形成された隔壁を備え、第２の発光層は、前記隔壁上で前記第１の発光層と重なる。
本発明では、第１の発光層又は第２の発光層を形成する際に、第１の発光層の色素又は第２の発光層の色素が隔壁内に納まらず、隔壁上に乗り上げてしまった場合であっても、混色が起こることを防ぐことができる。【００１７】
（３）  本発明の有機エレクトロルミネッセンスディスプレイの前記第１の発光層は、前記第１の電極及び前記隔壁上の全面に形成されている。
本発明では、第１の電極層と第２の電極層との間を、第１の発光層で絶縁することができるため、第１の電極層と第２の電極層との間で漏れ電流が生じることを防ぐことができる。【００１８】
（４）  本発明の有機エレクトロルミネッセンスディスプレイは、前記第１の電極層と、前記第２の電極層との間に正孔輸送層を備え、前記正孔輸送層は、前記第１の電極及び前記隔壁上の全面に形成されている。
本発明では、正孔輸送層を第１の電極及び隔壁の全面に形成するようにしたので、隔壁内の表面の濡れ性を均一にすることができ、直上に形成される第１の発光層の膜厚を均一にすることができる。【００１９】
（５）  本発明の有機エレクトロルミネッセンスディスプレイの製造方法は、基板上に第１の電極層を形成する第１の工程と、前記第１の電極層上に第１の波長で発光する第１の発光層を形成する第２の工程と、前記第１の波長よりも長い第２の波長で発光する第２の発光層を前記第１の発光層に少なくとも一部が重なるように形成する第３の工程と、前記第１又は第２の発光層上に第２の電極層を形成する第４の工程とを有する。
本発明では、第１の波長で発光する第１の発光層を形成した後に、第１の波長よりも長い第２の波長で発光する第２の発光層が第１の発光層に重なるように形成するようにしたため、第１の発光層に含まれる色素が、第２の発光層に流入した場合であっても、第１の発光層の色素よりもエネルギーの低い第２の発光層の色素を優先的に発光させることができ、混色が起こることを防ぐことができる。【００２０】
（６）  本発明の有機エレクトロルミネッセンスディスプレイの製造方法は、前記第２の工程では、前記第１の波長で発光する第１の色素を含むインキをパターニングすることにより前記第１の発光層を形成し、前記第３の工程では、前記第２の波長で発光する第２の色素を含むインキを前記第１の発光層が固化した後にパターニングすることにより前記第２の発光層を形成する。
本発明では、第１の発光層をパターニングして、その第１の発光層が固化して乾燥した後に、第２の発光層をパターニングするようにしたので、第１の色素が第２の発光層に流入する量を少なくすることができ、混色が起きにくくすることができる。【００２１】
（７）  本発明の有機エレクトロルミネッセンスディスプレイの製造方法は、凸版印刷法により前記第１又は第２の発光層を形成する。【００２２】
（８）  本発明の有機エレクトロルミネッセンスディスプレイの製造方法は、隣接する有機エレクトロルミネッセンス素子を互いに隔絶するための隔壁を前記基板上に形成する工程をさらに有し、前記第２の工程では、前記第１の電極層及び前記隔壁上に前記第１の発光層を形成する。
本発明では、第１の発光層又は第２の発光層を形成する際に、第１の発光層の色素又は第２の発光層の色素が隔壁内に納まらず、隔壁上に乗り上げてしまった場合であっても、混色が起こることを防ぐことができるため、第１の発光層や第２の発光層を形成する際に厳密な位置あわせをする必要がなくなり、有機エレクトロルミネッセンスディスプレイを容易に製造することができる。
【発明の効果】
【００２３】
本発明の有機エレクトロルミネッセンスディスプレイ及びその製造方法は、インキの混色による色度のずれを最小限に止め、生産の収率を向上させることができる。
【図面の簡単な説明】
【００２４】
【図１】本発明の一実施の形態における有機ＥＬディスプレイ作製のための印刷用凸版の側断面図である。
【図２】本発明の実施形態による有機ＥＬディスプレイの製造装置の概略構成図である。
【図３】本発明の実施形態による有機ＥＬディスプレイ１００ａの構造を示す断面図である。
【図４】本発明の実施形態の変形例による有機ＥＬディスプレイ１００ｂの構造を示す断面図である。
【図５】本発明の実施形態の他の変形例による有機ＥＬディスプレイ１００ｃの構造を示す断面図である。
【図６】本発明の実施形態の変形例による有機ＥＬディスプレイ１００ｂ（図４）の製造方法を示す図である。
【図７】本発明の実施形態の変形例による有機ＥＬディスプレイ１００ｂ（図４）の製造方法を示す図である。
【図８】本発明の実施形態の変形例による有機ＥＬディスプレイ１００ｂ（図４）の製造方法の他の一例を示す図である。
【図９】本発明の実施形態の変形例による有機ＥＬディスプレイ１００ｂ（図４）の製造方法の他の一例を示す図である。
【図１０】本発明の実施形態による有機ＥＬディスプレイ１００ａ（図３）の構造を示す平面図である。
【図１１】本発明の実施形態による有機ＥＬディスプレイ１００ａ（図３）の構造の他の一例を示す平面図である。
【図１２】本発明の実施例１及び２により製造した有機ＥＬディスプレイの発光写真である。
【図１３】比較例１により製造した有機ＥＬディスプレイの発光写真である。
【図１４】比較例１により製造した有機ＥＬディスプレイにおいて、混色が起こる原因を示す図である。
【図１５】比較例１により製造した有機ＥＬディスプレイにおいて、混色が起こる原因を示す図である。
【符号の説明】
【００２５】
１ａ・・・凸版のベース基材層、１ｂ・・・凸状部形成材層、２・・・インキタンク、３・・・インキ吐出部、４ａ・・・インキ、５・・・アニロックスロール、６・・・版胴、７・・・被印刷体、８・・・被印刷体固定定盤、９・・・ドクター、１０・・・基板、１１ａ、１１ｂ、１１ｃ、１１ｄ・・・隔壁、１２ａ、１２ｂ、１２ｃ・・・陽極、１３ａ、１３ｂ、１３ｃ、１３ｄ、１３ｅ・・・正孔輸送層、１４Ｒ、１４Ｇ、１４Ｂ・・・発光層、１５・・・陰極、１６・・・封止樹脂、１７・・・封止基板、１００ａ、１００ｂ、１００ｃ・・・有機ＥＬディスプレイ、Ｓ・・・印刷用凸版
【発明を実施するための最良の形態】
【００２６】
以下、本発明の実施形態を図面に基づいて説明する。なお、本発明はこれに限るものではない。【００２７】
図１は、本発明の一実施の形態における有機ＥＬディスプレイ作製のための印刷用凸版の側断面図である。図１において、１ａは凸版のベース基材層であり、１ｂはベース基材層１ａ上の凸状部形成材層（凸状部とも称する）である。ベース基材層１ａと凸状部形成材層１ｂとにより凸版Ｓが形成されている。【００２８】
凸状部形成材層１ｂとしては、ニトリルゴム、シリコーンゴム、イソプレンゴム、スチレンブタジエンゴム、ブタジエンゴム、クロロプレンゴム、ブチルゴム、アクリロニトリルゴム、エチレンプロピレンゴム、ウレタンゴムなどのゴムの他に、ポリエチレン、ポリスチレン、ポリブタジエン、ポリ塩化ビニル、ポリ塩化ビニリデン、ポリ酢酸ビニル、ポリアミド、ポリエーテルスルホン、ポリエチレンテレフタレート、ポリエチレンナフタレート、ポリエーテルスルホン、ポリビニルアルコールなどの合成樹脂やそれらの共重合体、セルロースなどの天然高分子を用いることができる。【００２９】
なかでも、水溶性ポリマーを主成分として含む材料は、塗工インキの成分である有機発光材料の溶液や分散液を構成している有機溶剤への耐性も高いため、これを用いることも望ましい。【００３０】
ここで、例えば、電子材料の一つである有機発光材料の塗工インキとしては、沸点が低いほど、乾燥工程が容易になるという利点があるものの、印刷プロセスの時間を考慮すると、あまりに沸点の低い溶剤を用いると、版上部でインキが乾燥してしまう。そのため、インキには沸点１３０℃以上の溶剤を適度に混合し、インキの乾燥を防ぐことが好ましい。【００３１】
沸点１３０℃以上の溶剤としては、例えば、２，３−ジメチルアニソール、２，５−ジメチルアニソール、２，６−ジメチルアニソール、トリメチルアニソール、テトラリン、安息香酸メチル、安息香酸エチル、シクロヘキシルベンゼン、ｎ−アミルベンゼン、ｔｅｒｔ−アミルベンゼン、ジフェニルエーテル、ジメチルスルホキシドなどの中から１種、又は複数種を選択したものである。【００３２】
有機発光材料としては、ポリスチレン、ポリメチルメタクリレート、ポリビニルカルバゾールなどの高分子中に低分子の蛍光発光色素を溶解させたものや、ポリフェニレンビニレン誘導体（ＰＰＶ）、ポリアルキルフルオレン誘導体（ＰＡＦ）等の高分子発光体が用いられる。これらの高分子有機発光材料（高分子ＥＬ素子用発光材料）は、溶剤に溶解又は安定して分散でき、インキ化することによって塗布法や印刷法により製膜することができるため、低分子発光材料を用いた有機ＥＬ素子の製造と比較して、大気圧下での製膜が可能であり、設備コストが安いという利点がある。【００３３】
凸版Ｓとしては、先に記述した、材質を用いることが出来るが、市販のフレキソ版や樹脂凸版を用いることが出来る。【００３４】
本実施形態の印刷用凸版は、凸版印刷法（印刷用凸版を用いて印刷する印刷機）による印刷機に装着して印刷することができ、例えば、円圧式の凸版印刷機、又は円圧式の凸版オフセット印刷機などに装着して印刷することができる。【００３５】
図２は、本発明の実施形態による有機ＥＬディスプレイの製造装置の概略構成図である。図２に示す有機ＥＬディスプレイの製造装置は、凸版印刷法を用いる円圧式の凸版印刷機であり、図示するように、インキタンク２とインキ供給部であるインキ吐出部３（チャンバー）と矢印方向Ｄ１（紙面に垂直な軸を回転軸として反時計回りに回転する方向）に回転するアニロックスロール５（金属製又は樹脂製の硬質ロール、又は適度な弾力性のある硬質ロール）と、印刷用凸版Ｓ（図１参照）を周面に装着可能な矢印方向Ｄ２（紙面に垂直な軸を回転軸として時計回りに回転する方向）に回転する版胴６を備えている。印刷用凸版は、ベース基材層１ａと凸状部形成材層１ｂからなる。版胴６の下方には、水平方向Ｄ３（矢印方向）に反復移動する被印刷体固定定盤８を備え、該定盤８上には被印刷体７が装着固定されている。【００３６】
インキタンク２には、赤色の発光色素を含むインキ、緑色の発光色素を含むインキ、青色の発光色素を含むインキが収容されており、インキ吐出部３にはインキタンク２より各色の発光色素を含むインキが混ざることなく個別に送り込まれるようになっている。アニロックスロール５は、インキ吐出部４に近接し、版胴６の印刷用凸版に接して回転するようになっている。【００３７】
アニロックスロール５の回転に伴い、インキ吐出部３からアニロックスロール５の周面に吐出したインキ４ａは、ドクター９などにより均一な膜厚に掻き取られ、アニロックスロール５の周面に均一な膜厚のインキ４ａの膜として転移する。その後、版胴６に取り付けられた印刷用凸版Ｓの凸状部１ｂの頂部面に、前記アニロックスロール５周面のインキ４ａが均一な膜厚にて転移する。【００３８】
さらに、被印刷体固定定盤８上の被印刷体７（印刷基板）は、印刷用凸版の凸状部１ｂによる凸部パターンと被印刷体７との位相位置を調整する位置調整機構により位相位置を調整しながら図２に示すように印刷開始位置まで図面左方向に水平移動する。【００３９】
その後に、被印刷体固定定盤８は、被印刷体７面に版胴６の印刷用凸版Ｓの凸状部１ｂを所定印圧にて接触させながら、版胴６の回転速度に整合して図面左方向に水平移動し、印刷用凸版の凸状部Ｓの頂部面のインキによる凸部パターンを被印刷体７面に印刷する。【００４０】
印刷後の前記被印刷体７は、被印刷体固定定盤８上から取り除かれた後、次の被印刷体７が被印刷体固定定盤８上に装着固定される。この動作を繰り返すことにより印刷が実施される。【００４１】
図３は、本発明の実施形態による有機ＥＬディスプレイ１００ａの構造を示す断面図である。基板１０上には、所定の間隔離れて断面が台形状の隔壁１１ａ、１１ｂ、１１ｃ、１１ｄが形成されている。なお、基板１０がＴＦＴ（Thin Film Transistor：薄膜トランジスタ）を含むようにしてもよい。
基板１０上であって、隔壁１１ａと隔壁１１ｂとの間、隔壁１１ｂと隔壁１１ｃとの間、隔壁１１ｃと隔壁１１ｄとの間には、画素電極である陽極１２ａ、１２ｂ、１２ｃがそれぞれ層状に形成されている。
陽極１２ａ、１２ｂ、１２ｃ上には、それぞれ正孔輸送層１３ａ、１３ｂ、１３ｃが層状に形成されている。【００４２】
隔壁１１ａ、１１ｂ、正孔輸送層１３ａ上には、青色に発光する色素を含有する有機発光材料を含むインキを塗布することにより発光層１４Ｂが形成されている。隔壁１１ｃ、１１ｄ、正孔輸送層１３ｃ上には、緑色に発光する色素を含有する有機発光材料を含むインキを塗布することにより発光層１４Ｇが形成されている。隔壁１１ｂ、１１ｃ、正孔輸送層１３ｂ上には、赤色に発光する色素を含有する有機発光材料を含むインキを塗布することにより発光層１４Ｒが形成されている。
なお、隔壁１１ａ、１１ｂ、正孔輸送層１３ａ上へのインキの塗布は、青色、緑色、赤色の順に行っている。そのため、発光層１４Ｒは、隔壁１１ｂ上で発光層１４Ｂに重っている。また、発光層１４Ｒは、隔壁１１ｃ上で発光層１４Ｇに重っている。また、発光層１４Ｇは、隔壁１１ｄ上で発光層１４Ｂに重っている。【００４３】
発光層１４Ｂ、１４Ｇ、１４Ｒ上には、対向電極である陰極１５が層状に形成されている。陰極１５上には、封止樹脂１６の層が形成されている。
封止樹脂１６上には、封止基板１７が設けられている。
図３に示す有機ＥＬディスプレイ１００ａでは、隔壁１１ａと隔壁１１ｂに挟まれた領域、隔壁１１ｂと隔壁１１ｃに挟まれた領域、隔壁１１ｃと隔壁１１ｄに挟まれた領域が、有機ＥＬ素子である。【００４４】
次に、本実施形態による有機ＥＬディスプレイ１００ａの製造方法について説明する。
始めに、基板１０を用意し、隣接する有機ＥＬ素子との間の基板１０上に所定間隔を開けて、台形状の隔壁１１ａ、１１ｂ、１１ｃ、１１ｄを形成する。
そして、隔壁１１ａ、１１ｂ、１１ｃ、１１ｄの間の領域に陽極１２ａ、１２ｂ、１２ｃの層（第１の電極層とも称する）を形成し、その陽極１２ａ、１２ｂ、１２ｃ上に、正孔輸送層１３ａ、１３ｂ、１３ｃを形成する。【００４５】
そして、隔壁１１ａ及び隔壁１１ｂ上の領域と、隔壁１１ａと隔壁１１ｂとの間の領域に、青色で発光する色素を含むインキ４ａを塗布することによりパターニングして、発光層１４Ｂを形成する。
青色で発光する色素を含むインキ４ａが固化して乾燥した後、隔壁１１ｃ及び隔壁１１ｄ上の領域と、隔壁１１ｃと隔壁１１ｄとの間の領域に、青色よりも発光波長が長い緑色で発光する色素を含むインキ４ａを、少なくとも一部が発光層１４Ｂと重なるように塗布することによりパターニングして、発光層１４Ｇを形成する。
緑色で発光する色素を含むインキ４ａが固化して乾燥した後、隔壁１１ｂ及び隔壁１１ｃ上の領域と、隔壁１１ｂと隔壁１１ｃとの間の領域に、緑色よりも発光波長が長い赤色で発光する色素を含むインキ４ａを、少なくとも一部が発光層１４Ｂ又は発光層１４Ｇと重なるように塗布することによりパターニングして、発光層１４Ｒを形成する。【００４６】
赤色で発光する色素を含むインキ４ａが固化して乾燥した後、発光層１４Ｒ、１４Ｇ、１４Ｂ上に、陰極１５の層（第２の電極層とも称する）を形成する。
そして、陰極１５上に、封止樹脂１６の層を形成する。そして、封止樹脂１６の層の上に、封止基板１７を設置する。【００４７】
なお、図３では、インキ４ａを隔壁１１ａ、１１ｂ、１１ｃ、１１ｄ上の一部の領域に塗布しているが、インキ４ａを隔壁１１ａ、１１ｂ、１１ｃ、１１ｄ上の全面に塗布するようにしてもよい。このような構成とすることにより、以下の（Ａ１）、（Ａ２）、（Ａ３）のような利点が得られる。【００４８】
（Ａ１）  発光層１４Ｒ、１４Ｇ、１４Ｂには絶縁性があるので、陽極１２ａ、１２ｂ、１２ｃ、陰極１５、または正孔輸送層１３ａ、１３ｂ、１３ｃからの漏れ電流を遮断することができる。特に、正孔輸送層が隔壁１１ａ、１１ｂ、１１ｃ、１１ｄの全面に隔壁上にも形成されている場合（後述する図４参照）、隔壁なしのパッシブマトリクス型の場合（後述する図５参照）に有効である。【００４９】
（Ａ２）  陽極１２ａ、１２ｂ、１２ｃを樹脂性とした場合に、隔壁１２ａ、１２ｂ、１２ｃからガスが発生し、有機ＥＬ素子に悪影響を及ぼす可能性があるが、発光層１４Ｒ、１４Ｇ、１４Ｂで隔壁１１ａ、１１ｂ、１１ｃ、１１ｄ上の全面を覆うことにより、これを抑制することができる。【００５０】
（Ａ３）  有機ＥＬ素子の表面の濡れ性が均一になり、均一な膜形成が可能となり、断線を抑制できる。隔壁１１ａ、１１ｂ、１１ｃ、１１ｄのエッジが発光層でカバーされ、その上に形成される陰極１５の断線を抑制することができる。【００５１】
有機ＥＬディスプレイ１００ａを構成する有機ＥＬ素子は、導電性の有機発光層（図３における発光層１４Ｒ、１４Ｇ、１４Ｂ）と、この有機発光層の厚さ方向の両側に配置された透明電極層（図３における陽極１２ａ、１２ｂ、１２ｃ）及び対向電極層（図３における陰極１５）とを備えており、透光性の基板１０上に透明電極層、有機発光層、対向電極層の順に積層して形成することで製造している。そして、有機発光層に電圧を印加して電子及び正孔を注入して再結合させ、この結合の際に有機発光層を発光させる。
ここでは、有機発光層による発光効率を増大させるなどのために、透明電極層（陽極１１ａ、１１ｂ、１１ｃ）と有機発光層（発光層１４Ｒ、１４Ｇ、１４Ｂ）との間に正孔輸送層１３ａ、１３ｂ、１３ｃを設けているが、対向電極層（陰極１５）と有機発光層（発光層１４Ｒ、１４Ｇ、１４Ｂ）との間に電子輸送層を設けるようにしてもよい。【００５２】
次に、有機発光媒体層を形成する。有機発光媒体層は、有機発光層単独から構成してもよいし、有機発光層と正孔輸送層、正孔注入層、電子輸送層、電子注入層といった発光を補助するための層との積層構造としてもよい。なお、正孔輸送層、正孔注入層、電子輸送層、電子注入層は適宜選択される。【００５３】
有機ＥＬ素子における有機発光層に用いる発光体としては、クマリン系、ペリレン系、ピレン系、アンスロン系、ポルフィレン系、キナクリドン系、Ｎ，Ｎ’−ジアルキル置換キナクリドン系、ナフタルイミド系、Ｎ，Ｎ’−ジアリール置換ピロロピロール系、イリジウム錯体系、白金錯体系、ユーロピウム錯体系等の低分子発光性色素を、ポリスチレン、ポリメチルメタクリレート、ポリビニルカルバゾール等の高分子中に溶解若しくは高分子に共重合させたものや、ポリアリーレン系、ポリアリーレンビニレン系やポリフルオレン系等の高分子発光体を用いることができる。【００５４】
また、クマリン系蛍光体、ペリレン系蛍光体、ピラン系蛍光体、アンスロン系蛍光体、ポリフィリン系蛍光体、キナクリドン系蛍光体、Ｎ，Ｎ’−ジアルキル置換キナクリドン系蛍光体、ナフタルイミド系蛍光体、Ｎ，Ｎ’−ジアリール置換ピロロピロール系蛍光対等、Ｉｒ錯体等の燐光性発光体などの低分子系発光材料を、高分子中に分散させたものが使用できる。高分子としてはポリスチレン、ポリメチルメタクリレート、ポリビニルカルバゾール等が使用できる。また、ポリアリーレン系、ポリアリーレンビニレン系、ポリフルオレン、ポリフェニレンビニレン、ポリパラフェニレンビニレン、ポリチオフェン、ポリスピロなどの高分子発光材料であってもよい。また、これら高分子材料に前記低分子材料の分散又は共重合した材料や、その他既存の発光材料を用いることもできる。【００５５】
正孔輸送層１３ｃに用いる材料としては、一般に正孔輸送材料として用いられているものであれば良く、銅フタロシアニンやその誘導体、１，１―ビス（４―ジ−ｐ−トリルアミノフェニル）シクロヘキサン、Ｎ，Ｎ’―ジフェニル―Ｎ，Ｎ’−ビス（３−メチルフェニル）―１，１’―ビフェニル−４，４’―ジアミン、Ｎ，Ｎ’―ジ（１―ナフチル）―Ｎ，Ｎ’―ジフェニル−１，１’―ビフェニル−４，４’―ジアミン等の芳香族アミン系などの低分子も用いることができるが、ポリアニリン誘導体、ポリチオフェン誘導体、ポリビニルカルバゾール（ＰＶＫ）誘導体、ポリ（３，４−エチレンジオキシチオフェン）とポリスチレンスルホン酸との混合物等の高分子材料が成膜性の点から好ましい。また、ポリパラフェニレン（ＰＰＰ）等のポリアリーレン系、ポリフェニレンビニレン（ＰＰＶ）等のポリアリーレンビニレン系等の導電性高分子若しくはポリスチレン（ＰＳ）等の高分子に、アリールアミン類、カルバゾール誘導体、アリールスルフィド類、チオフェン誘導体、フタロシアニン誘導等の低分子の電荷輸送性を示す材料を混合した物を用いても良い。【００５６】
さらに正孔輸送層１３ｃに用いる材料としては、無機材料を用いることができ、Ｌｉ、Ｎａ、Ｋ、Ｒｂ、Ｃｅ、およびＦｒなどのアルカリ金属元素や、Ｍｇ、Ｃａ、ＳｒおよびＢａなどのアルカリ土類金属元素、Ｌａ、Ｃｅ、Ｐｒ、Ｎｄ、Ｓｍ、Ｅｕ、Ｇｄ、Ｄｂ、Ｄｙ、Ｈｏ、Ｅｒ、Ｔｍ、Ｙｂ、Ｌｕなどのランタノイド系元素、Ｔｈなどのアクチノイド系元素、Ｓｃ、Ｔｉ、Ｖ、Ｃｒ、Ｆｅ、Ｃｏ、Ｎｉ、Ｃｕ、Ｚｎ、Ｙ、Ａｒ、Ｎｂ、Ｍｏ、Ｒｕ、Ｐｄ、Ａｇ、Ｃｄ、Ｈｆ、Ｔａ、Ｗ、Ｒｅ、Ｏｓ、Ｉｒ、Ｐｔ、Ａｕ、Ａｌ、Ｇａ、Ｉｎ、Ｓｎ、Ｔｌ、Ｐｂ、およびＢｉなどの金属元素、Ｂ、Ｓｉ、Ｇｅ、Ａｓ、Ｓｂ、Ｔｅなどの半金属元素、更にはこれらの合金、酸化物、炭化物、窒化物、硼化物、硫化物、ハロゲン化物などの無機化合物を用いても良い。【００５７】
このうち特に酸化モリブデンは、成膜が容易であり、正孔注入電極からの正孔注入機能が高く、正孔を安定に輸送する機能に優れており、安定性の点など正孔輸送材料や電子注入材料の一部として有用な材料であることが知られている。【００５８】
また、有機ＥＬ素子における有機発光層と正孔輸送層１３ｃの間に、インターレイヤーと呼ばれる、加熱により電荷輸送層との密着性を増す材料を挟んでも良い。このインターレイヤーにより、有機発光層の発光効率が増し、駆動寿命も長く成る事が知られている。この様な材料としては、ポリ（２，７−（９，９−ジ−オクチルフルオロレン））−ａｌｔ−（１，４−フェニレン−（（４−ｓｅｃ−ブチルフェニル）イミノ）−１，４−フェニレン））（ＴＦＢ）が挙げられる。
正孔輸送材料として無機材料を用いる場合、無機材料としては、Ｃｕ２Ｏ，Ｃｒ２Ｏ３，Ｍｎ２Ｏ３，ＦｅＯｘ（ｘ〜０．１），ＮｉＯ，ＣｏＯ，Ｐｒ２Ｏ３，Ａｇ２Ｏ，ＭｏＯ２，Ｂｉ２Ｏ３、ＺｎＯ，ＴｉＯ２，ＳｎＯ２，ＴｈＯ２，Ｖ２Ｏ５，Ｎｂ２Ｏ５，Ｔａ２Ｏ５，ＭｏＯ３，ＷＯ３，ＭｎＯ２等の金属酸化物を蒸着法やスパッタリング法、ＣＶＤ（Chemical Vapor Deposition：化学気相成長）法を用いて形成される。ただし材料はこれらに限定されるものではない。これら金属の炭化物、窒化物、硼化物などを用いることもできる。真空蒸着、スパッタリング法、ＣＶＤ法などにより成膜することができる。【００５９】
また、電子輸送層の材料としては、２−（４−ビフィニルイル）−５−（４−ｔ−ブチルフェニル）−１，３，４−オキサジアゾール、２，５−ビス（１−ナフチル）−１，３，４−オキサジアゾール、オキサジアゾール誘導体やビス（１０−ヒドロキシベンゾ［ｈ］キノリノラート）ベリリウム錯体、トリアゾール化合物等を用いることができる。【００６０】
これらの材料は無機材料であればスパッタ法、ＣＶＤ法等を用いて形成することができる。低分子の場合は蒸着法を用いて成膜しても良いが、トルエン、キシレン、アセトン、アニソール、メチルアニソール、ジメチルアニソール、安息香酸エチル、安息香酸メチル、メシチレン、テトラリン、アミルベンゼン、メチルエチルケトン、メチルイソブチルケトン、シクロヘキサノン、メタノール、エタノール、イソプロピルアルコール、酢酸エチル、酢酸ブチル、水等の単独または混合溶媒に溶解または分散させて塗布液として用い、スピンコート法、カーテンコート法、バーコート法、ワイヤーコート法、スリットコート法といったコーティング法や、凸版印刷法（フレキソ印刷法）、凹版オフセット印刷法、凸版反転オフセット印刷法、インクジェット印刷法、凹版印刷法といった印刷法により成膜することが可能である。【００６１】
なお、本実施形態では、有機ＥＬディスプレイが図３に示した構造を有する場合について説明したが、このような構造に限定されるものではない。例えば、有機ＥＬディスプレイの構造を、以下で説明する図４や図５のようにしてもよい。【００６２】
図４は、本発明の実施形態の変形例による有機ＥＬディスプレイ１００ｂの構造を示す断面図である。図４において、図３と同様の構造をとる部分については、同一の符号を付して、その説明を省略する。
図４の有機ＥＬディスプレイ１００ｂでは、陽極１２ａ、１２ｂ、１２ｃ上だけではなく、隔壁１１ａ、１１ｂ、１１ｃ、１１ｄ上にも正孔輸送層１３ｃが形成されている点において、図３の有機ＥＬディスプレイ１００ａと異なる。
正孔輸送層１３ｃを隔壁１１ａ、１１ｂ、１１ｃ、１１ｄ上及び陽極１２ａ、１２ｂ、１２ｃ上、つまり素子の全面に形成することにより、隔壁１１ａ、１１ｂ、１１ｃ、１１ｄ及び画素内の表面の濡れ性を均一にすることができるため、直上に形成される発光層１４Ｒ、１４Ｇ、１４Ｂなどの発光媒体層の膜厚を均一にすることができる。【００６３】
図５は、本発明の実施形態の他の変形例による有機ＥＬディスプレイ１００ｃの構造を示す断面図である。図５において、図３と同様の構造をとる部分については、同一の符号を付して、その説明を省略する。
図５の有機ＥＬディスプレイ１００ｃでは、基板１０上に隔壁１１ａ、１１ｂ、１１ｃ、１１ｄが形成されていない点と、陽極１１ａ、１１ｂ、１１ｃが形成されていない基板１０上の領域にも正孔輸送層１３ｅが形成されている点において、図３の有機ＥＬディスプレイ１００ａと異なる。【００６４】
図６及び図７は、本発明の実施形態の変形例による有機ＥＬディスプレイ１００ｂ（図４）の製造方法を示す図である。具体的には、図６及び図７は、隔壁１１ｂと隔壁１１ｃとの間の正孔輸送層１３ｄ上に、発光層１４Ｒを形成する工程を示している。なお、発光層１４Ｒだけでなく、発光層１４Ｇ、１４Ｂも図６及び図７で説明する方法と同じ方法で形成することができる。
また、有機ＥＬディスプレイ１００ａ（図３）や有機ＥＬディスプレイ１００ｃ（図５）の発光層１４Ｒ、１４Ｂ、１４Ｂも図６及び図７で説明する方法と同じ方法で形成することができる。【００６５】
図６は、図２の部分的な拡大図を示しており、図２の被印刷体７は、図６の基板１０、隔壁１１ａ、１１ｂ、１１ｃ、１１ｄ、陽極１２ａ、１２ｂ、１２ｃ、正孔輸送層１３ｄに対応している。
円筒状の版胴６に取り付けられている凸版部形成材層１ｂの表面には、アニロックスロール５により、インキ４ａが付着されている。なお、本実施形態では、凸版部形成材層１ｂの幅Ｗ２は、隔壁間の距離Ｗ１よりも小さい。【００６６】
凸版部形成材層１ｂが、隔壁１１ｂと隔壁１１ｃとの間の位置まで版胴６が回転した場合に、被印刷体固定定盤８（図６及び図７では図示省略）は、基板１０等をインキ４ａに接触させることにより、隔壁１１ｂ、１１ｃ及び陽極１２ｂ上の正孔輸送層１３ｄ上に、インキ４ａを接触させることによりパターニングする（図７参照）。
なお、図６及び図７で示した装置ではなく、図８及び図９で示す装置を用いて、インキ４ａを塗布してもよい。【００６７】
図８及び図９は、本発明の実施形態の変形例による有機ＥＬディスプレイ１００ｂ（図４）の製造方法の他の一例を示す図である。図８及び図９も、図６及び図７と同様に、隔壁１１ｂと隔壁１１ｃとの間の正孔輸送層１３ｄ上に、発光層１４Ｒを形成する工程を示している。
図８及び図９において、図６及び図７と同様の部分については、同一の符号を付して、その説明を省略する。図８及び図９では、凸版部形成材層１ｂの幅Ｗ３が、隔壁間の距離Ｗ１よりも大きい点において、図６及び図７と異なる。【００６８】
凸版部形成材層１ｂの幅Ｗ３が大きくなるに従って、隔壁間にインキ４ａを塗布することが難しくなる。しかし、本実施形態による製造方法を用いれば、隔壁１１ｂ、１１ｃ間にインキ４ａが収まらず隔壁１１ｂ、１１ｃ上にインキ４ａが乗り上げてしまった場合であっても、あるいは、隣接する有機ＥＬ素子（ここでは、隔壁１１ａ、１１ｂの間の領域、あるいは、隔壁１１ｃ、１１ｄの間の領域）にインキ４ａが流入してしまったとしても、発光波長の長いインキを発光波長が短いインキの上に塗布するようにしたので、凸版部形成材層１ｂと基板１０との位置合わせが多少ずれたとしても、隣接する画素との間で混色が起こることを防ぐことができる。【００６９】
図１０は、本発明の実施形態による有機ＥＬディスプレイ１００ａ（図３）の構造を示す平面図である。図１０は、基板１０上に隔壁１１ａ、１１ｂ、１１ｃ、１１ｄ、・・・、陽極１２ａ、１２ｂ、１２ｃ、・・・、正孔輸送層１３ａ、１３ｂ、１３ｃ、・・・、発光層１４Ｒ、１４Ｇ、１４Ｂを形成した段階であって、陰極１５、封止樹脂１６、封止基板１７を形成していない段階を示している。【００７０】
図１０では、有機ＥＬディスプレイ１００ａの基板１０上に、合計２１個（＝３行×７列）の有機ＥＬ素子が形成されている場合を示している。
１列目、４列目、７列目の有機ＥＬ素子には、発光層１４Ｒが塗布されており、２列目、５列目の有機ＥＬ素子には、発光層１４Ｂが塗布されており、３列目、６列目の有機ＥＬ素子には、発光層１４Ｇが塗布されている。【００７１】
なお、図１０において、各列の境界領域では、２つの発光層が重なっている。具体的には、２列目と３列目の境界領域では、発光層１４Ｂ上に発光層１４Ｇが重なっている。また、３列目と４列目の境界領域では、発光層１４Ｇ上に発光層１４Ｒが重なっている。また、１列目と２列目の境界領域では、発光層１４Ｂ上に発光層１４Ｒが重なっている。
なお、図１０では、列ごとに、それぞれの発光層を形成するインキを塗布する場合について説明したが、これに限定されるものではない。例えば、図１１のような方法でそれぞれの発光層を形成するインキを塗布してもよい。【００７２】
図１１は、本発明の実施形態による有機ＥＬディスプレイ１００ａ（図３）の構造の他の一例を示す平面図である。図１１では、図１０のように有機ＥＬ素子の列ごとにそれぞれの発光層を形成するのではなく、有機ＥＬ素子の各素子ごとにそれぞれの発光層を形成している。
なお、図１１において、各有機ＥＬ素子の境界領域では、２つの発光層が重なっている。具体的には、２列目と３列目の有機ＥＬ素子の境界領域では、発光層１４Ｂ上に発光層１４Ｇが重なっている。また、３列目と４列目の有機ＥＬ素子の境界領域では、発光層１４Ｇ上に発光層１４Ｒが重なっている。また、１列目と２列目の有機ＥＬ素子の境界領域では、発光層１４Ｂ上に発光層１４Ｒが重なっている。【００７３】
発光する波長が長い順番（発光層１４Ｒ、１４Ｇ、１４Ｂの順番）に発光層を形成すると、例えば、発光層１４Ｂのインキを塗布したときに、先に塗布した発光層１４Ｒや発光層１４Ｇのインキが発光層１４Ｂのインキ中に溶け出してしまう。この場合に、陽極１２ａ、１２ｂ、１２ｃと陰極１５との間に電圧を印加すると、発光層１４Ｂが形成されている領域であるにもかかわらず、発光層１４Ｂに流入した発光層１４Ｒや発光層１４Ｇの色素が発光してしまい、混色が生じるという問題があった。
しかし、本実施形態では、発光層１４Ｂ、１４Ｇ、１４Ｒの順番に発光層を形成するようにしたので、例えば、先に塗布した発光層１４Ｂや発光層１４Ｇのインキが発光層１４Ｒのインキ中に溶け出したとしても、流入した発光層１４Ｂや発光層１４Ｇの色素は発光エネルギーが高いので発光せず、発光エネルギーの低い発光層１４Ｒの色素が優先的に発光するので、発光色の混色が起こることを防ぐことができ、有機ＥＬディスプレイを生産する際の収率を向上させることが出来る。【００７４】
また、本実施形態を用いれば、隔壁に挟まれた領域だけでなく、隔壁上にも発光層１４Ｒ、１４Ｇ、１４Ｂを塗布するようにしたので、発光層のインキ４ａを塗布する位置が多少ずれたとしても、隔壁に挟まれた領域の全面にインキ４ａが塗布されることになり、版胴６（図２）と被印刷体７（図２）である基板１０との位置合わせの精度に余裕をもたせることができる。
また、隔壁に挟まれた領域から発光層のインキ４ａが溢れて、隣接する素子の発光層のインキ４ａに流入したとしても、前述のように発光色への影響は小さく、隔壁に挟まれた領域に塗布する発光層のインキの膜厚が均一となるように調整することができる。【００７５】
なお、上述した実施形態では、隔壁１１ａ、１１ｂ、１１ｃ、１１ｄの断面が台形状である順テーパー形状である場合について説明した。隔壁１１ａ、１１ｂ、１１ｃ、１１ｄをこのような形状とすることにより、隔壁１１ａ、１１ｂ、１１ｃ、１１ｄ上に発光層１４Ｒ、１４Ｇ、１４Ｂを形成する際に、各発光層を途切れずに連続的に形成することができる。
なお、上述した実施形態の隔壁１１ａ、１１ｂ、１１ｃ、１１ｄの断面を逆テーパー形状としてもよい。このような形状とすることにより、隔壁１１ａ、１１ｂ、１１ｃ、１１ｄ上に発光層１４Ｒ、１４Ｇ、１４Ｂを形成する際に、隔壁１１ａ、１１ｂ、１１ｃ、１１ｄ上の端部でインキが途切れやすくなるため、インキの流入を抑制し、混色を防ぐことができる。【００７６】
なお、上述した実施形態の隔壁１１ａ、１１ｂ、１１ｃ、１１ｄの高さは、０・１μｍ〜５μｍ、より好ましくは０．５μｍ〜２μｍとするとよい。これは、隔壁１１ａ、１１ｂ、１１ｃ、１１ｄが低すぎると隣接する画素にインキが侵入して混色が起こるおそれがあるためであり、隔壁１１ａ、１１ｂ、１１ｃ、１１ｄが高すぎると陰極１５を形成する際に断線が起こるおそれがあるからである。【００７７】
なお、上述した実施形態の発光層１４Ｒ、１４Ｇ、１４Ｂは、凸版印刷法（フレキソ印刷法）、凹版オフセット印刷法、凸版反転オフセット印刷法、インクジェット印刷法、凹版印刷法などを用いて形成することができる。このような方法を用いれば、同じ発光材料を用いて有機ＥＬ素子上の全面に各発光層１４Ｒ、１４Ｇ、１４Ｂを塗布することができるため、発光層１４Ｒ、１４Ｇ、１４Ｂを形成する工程を簡略化することが可能となり、生産性を向上させることができる。また、発光層１４Ｒ、１４Ｇ、１４Ｂを形成する前に、基板１０をＵＶ（ultraviolet：紫外線）処理や、プラズマ処理などの表面処理を行ってもよい。隔壁１１ａ、１１ｂ、１１ｃ、１１ｄ上及び画素内で表面の濡れ性を均一にすることができるため、発光層１４Ｒ、１４Ｇ、１４Ｂの膜厚を均一にすることができる。【００７８】
なお、上述した実施形態では、パッシブマトリクス方式の有機ＥＬディスプレイについて説明したが、これに限定されるものではなく、アクティブマトリクス方式の有機ＥＬディスプレイに適用してもよい。
また、上述した実施形態では、発光層が赤色、緑色、青色の３色からなる場合について説明したが、これに限定されるものではない。例えば、発光層を、赤色、緑色、青色、黄色の４色で構成するようにしてもよい。この場合、基板１０上への発光層の印刷の順序は、青色、緑色、黄色、赤色の順序で行う。
【実施例】
【００７９】
以下に、本発明を実施例および比較例によりさらに説明するが、本発明は下記例に制限されない。【００８０】
＜実施例１＞
（有機発光媒体層形成用塗工インキの調製）
高分子蛍光体（又は高分子蛍光体と結着用の高分子樹脂）を溶剤に塗工インキ液濃度が２．０重量％となるように溶解させ、有機発光媒体層形成用塗工インキを調製した。
ここで高分子蛍光体には、ポリフルオレン誘導体からなるＲＧＢ三色を発光材料として用いた。インキ溶剤組成は、キシレン（沸点１３９℃）を８８重量％、テトラリン（沸点２０２℃）を１０重量％とした。【００８１】
（被印刷基板の作製）
１５０ｍｍ角、厚さ０．４ｍｍのガラス基板上に、表面抵抗率１５ΩのＩＴＯ膜を回路パターン状に成膜した透明電極作製用基材（ジオマテック（株）製）を用意した。
隔壁は、日本ゼオン社製ポジレジストＺＷＤ６２１６−６をスピンコーターにてＩＴＯパターンが形成された基板面に厚み２μｍで形成した後、フォトリソグラフィーによって順テーパー形状の隔壁を形成し、基板上のＩＴＯ膜パターンを区画した。なお隔壁は、後述のパターン形成時の印刷方向における隔壁幅約１５μｍとし、隔壁間の距離Ｗ１が３２μｍとなるように形成した。【００８２】
次に正孔輸送層として、ポリ（３，４）エチレンジオキシチオフェン／ポリスチレンスルホン酸（ＰＥＤＯＴ／ＰＳＳ）をスピンコーターにて１００ｎｍ膜厚で成膜した。さらに、この成膜されたＰＥＤＯＴ／ＰＳＳ薄膜を、減圧下１８０℃にて、１時間乾燥することにより、被印刷体７（印刷基板）を作製した。【００８３】
（印刷用凸版の作製）
ベース基材１ａとして、厚さ０．３ｍｍのポリエチレンテレフタレート（ＰＥＴ）基材上に、凸状部１ｂとして感光性水溶性ポリマー（水溶性樹脂）を１５０℃で加熱溶融したものを、スピンコート法により０．１μｍの厚さで形成して、凸状部１ｂの形成層を積層形成した。【００８４】
（印刷用凸版のパターン形成）
フォトリソ法により、凸状部と凹部を、Ｌ／Ｓ＝３０／１１１μｍ（１８０ｐｐｉ相当）のストライプパターンで形成した。このパターンを用いて、赤色、緑色、青色を印刷位置をずらしながら一回ずつ印刷することでＲＧＢ三色のフルカラーパネルを作製する事ができる。【００８５】
（印刷用凸版Ｓによる有機発光媒体層形成用塗工インキの印刷）
まず、図１に示すような本実施形態の印刷用凸版Ｓを、凸版印刷法による円圧式凸版印刷機（図２参照）の版胴６の周面に装着固定し、被印刷体７（印刷基板）を、被印刷体固定定盤８上に載置固定した。【００８６】
そして、線数５００線／インチのアニロックスロール５及び版胴６を回転させて、有機発光媒体層形成用塗工インキ４ａを、アニロックスロール５（インキ供給ローラー）の周面に均一膜にて供給し、該アニロックスロール５を介して、印刷用凸版の凸状部の頂部面にインキ４ａを供給した。その後、被印刷体７（印刷基板）のＩＴＯ膜パターン形成面側に該ＩＴＯ膜パターンに整合させて、前記頂部面によるパターン状の塗工インキ４ａの印刷を行った。なお、第一回目の印刷は、青色発光色素を含む塗工インキを用いたパターニングである。【００８７】
続いて、同様にして、緑色発光色素を含む塗工インキ、赤色発光色素を含む塗工インキの順に印刷を行った。なお、各発光色素のバンドギャップは、赤色発光色素が２．０１ｅＶ、緑色発光色素が２．３８ｅＶ、青色発光色素が２．７２ｅＶである。このように、バンドギャップが大きいほど、発光波長は短い。【００８８】
印刷した後の被印刷基板７（印刷基板）は、１５０℃にて５時間の環境下にて塗工インキ４ａを乾燥した後、該塗工インキ４ａによる有機発光媒体層上から、バリウム７ｎｍ、アルミニウム１５０ｎｍを積層形成し、有機ＥＬディスプレイを製造した。【００８９】
＜実施例２＞
正孔輸送層として、ＰＥＤＯＴ／ＰＳＳの代わりに酸化モリブデンを真空蒸着法によりシャドーマスク法で５０ｎｍの厚さでパターン成膜した。パターン領域は表示領域全面に成膜されるように１２０ｍｍ×１００ｍｍの開口のあるメタルマスクを用いて成膜を行った。それ以外は実施例１と同様の工程で有機ＥＬディスプレイを製造した。【００９０】
＜比較例１＞
実施例１において、第一回目の印刷を、赤色発光色素を含む塗工インキを用いたパターニングとし、続いて、同様にして、緑色発光色素を含む塗工インキ、青色発光色素を含む塗工インキの順に印刷を行った。それ以外は実施例１と同様の工程で有機ＥＬディスプレイを製造した。【００９１】
＜実施例３＞
印刷方向における隔壁幅を約２２μｍとし、隔壁間の距離Ｗ１が２５μｍとなるように形成した。塗工インキを用いた有機発光媒体層のパターニングでは、位置を整合させて、凸状部で画素の開口部を覆うようにして凸状部の頂部面によるパターン状の塗工インキの印刷を行った。それ以外は実施例１と同様の工程で有機ＥＬディスプレイを製造した。【００９２】
＜実施例４＞
実施例３と同様、印刷方向における隔壁幅を約２２μｍとし、隔壁間の距離Ｗ１が２５μｍとなるように形成した。また印刷用凸版は、フォトリソ法により、凸状部と凹部を、Ｌ／Ｓ＝２０／１２１μｍのストライプパターンで形成した。それ以外は実施例１と同様の工程で有機ＥＬディスプレイを製造した。【００９３】
＜比較結果＞
図１２は、本発明の実施例１及び２により製造した有機ＥＬディスプレイの発光写真である。つまり、図１２は、発光層１４Ｂ、発光層１４Ｇ、発光層１４Ｒの順番で各発光層を形成した場合を示している。
図１３は、比較例１により製造した有機ＥＬディスプレイの発光写真である。つまり、図１３は、発光層１４Ｒ、発光層１４Ｇ、発光層１４Ｂの順番で各発光層を形成した場合を示している。【００９４】
上記実施例１又は２により製造した有機ＥＬディスプレイは、ＩＴＯ膜を介して電圧をかけ、発光状態の確認を行ったところ、有機発光媒体層の膜厚が均一であり、図１２に示すように、発光ムラは見られなかったが、比較例１により作製した有機ＥＬディスプレイは、ＩＴＯ膜を介して電圧をかけ、発光状態の確認を行ったところ、図１３に示すように、発光色が発光パネル内でところどころ異なったため全体としてマダラ状のムラとなり、混色が生じた。【００９５】
図１４及び図１５は、比較例１により製造した有機ＥＬディスプレイにおいて、混色が起こる原因を示す図である。比較例１により製造した有機ＥＬディスプレイにおいて、混色が起こる原因は、図１４に示すように、新たに塗工された塗工インキ（ここでは、発光層１４Ｂ）が、それより前に塗工され、固化していたインキ（ここでは、発光層１４Ｒ、１４Ｇ）を溶解し、画素内に引き込み、隣接する画素の発光色素の混入が生じた部分５０（図１５参照）について、発光色が変化し発光ムラとなってしまったためである。【００９６】
実施例３及び４においても発光色の混色は見られなかった。実施例３では画素に挟まれた全ての隔壁上で重なり合っており、発光層は素子全面を覆っていた。一方、実施例４では隔壁上で重なり合う部分と重なっていない部分が生じており、実施例３は実施例４と比較して膜厚のバラツキが小さく、均一な発光状態であった。
【産業上の利用可能性】
【００９７】
本発明の有機エレクトロルミネッセンスディスプレイ及びその製造方法は、インキの混色による色度のずれを最小限に止め、生産の収率を向上させることのできるので、高精細のディスプレイの製造に有用である。
【図１】
2009038171.tif 000003
【図２】
2009038171.tif 000004
【図３】
2009038171.tif 000005
【図４】
2009038171.tif 000006
【図５】
2009038171.tif 000007
【図６】
2009038171.tif 000008
【図７】
2009038171.tif 000009
【図８】
2009038171.tif 000010
【図９】
2009038171.tif 000011
【図１０】
2009038171.tif 000012
【図１１】
2009038171.tif 000013
【図１４】
2009038171.tif 000014
【図１５】
2009038171.tif 000015
【図１２】
2009038171.tif 000016
【図１３】
2009038171.tif 000017
【国際調査報告】
2009038171.tif 000018
2009038171.tif 000019
2009038171.tif 000020
2009038171.tif 000021